(57)【要約】      （修正有）【課題】持ち運びが容易で携帯性に優れ、携帯電話機、複数種の携帯端末の載置が可能となる携帯端末用スタンドを提供する。【解決手段】携帯電話機、複数種の携帯端末１を立て掛けて載置する携帯端末用スタンド２であって、球状の背面支持部４及びこれに対向する位置に設けられた開閉式の２点の傾斜部３を有することで、携帯電話機、複数種の携帯端末が載置可能となることを特徴とする。【選択図】図３
0003161576.tif 000002
【実用新案登録請求の範囲】
【請求項１】
本体は携帯端末を立て掛けて載置する携帯端末用スタンドであって、球状の背面支持部及びこれに対向する位置に設けられた開閉式の２点の傾斜部を有することで、携帯端末が載置可能となることを特徴とする携帯端末用スタンド。
【請求項２】
上記本体は、自分の手で携帯端末を支えることなく、安定した状態で載置できることを特徴とする請求項１の携帯端末用スタンド。
【請求項３】
上記本体は、携帯電話機、複数種の携帯端末等と結束するための結束具が設けられていることを特徴とする請求項１又は２記載の携帯端末用スタンド。
【請求項４】
上記本体は、未使用時は傾斜部をたたむことで、携帯性に優れることを特徴とする請求項１乃至３のいずれか１項記載の携帯端末用スタンド。
【請求項５】
上記本体は、背面支持部から傾斜部間に凸凹を設置することによって、未使用時に傾斜部が自然に開閉しないことを特徴とする請求項１乃至４のいずれか１項記載の携帯端末用スタンド。
【請求項６】
上記本体は、アンカー型の傾斜部が指になじむことで、袋等から容易に取り出すことが可能となることを特徴とする請求項１乃至５のいずれか１項記載の携帯端末用スタンド。
【請求項７】
上記本体は、アンカー型の傾斜部を指に挟むことによって、携帯端末等の落下を未然に防ぐことが可能であることを特徴とする請求項１乃至６のいずれか１項記載の携帯端末用スタンド。
【請求項８】
上記本体は、球状の背面支持部及びこれに対向する位置に設けられた開閉式の２点の傾斜部の材質は合成樹脂であることを特徴とする請求項１乃至７のいずれか１項記載の携帯端末用スタンド。
【考案の詳細な説明】
【技術分野】
【０００１】  本考案は、携帯端末等を立て掛けて載置することができる携帯端末用スタンドに関する。
【背景技術】
【０００２】  携帯端末用スタンドに関しては従来から種々の提案がなされている。【０００３】  従来、携帯電話機、複数種の携帯端末を机上等に載置するための据え付け型のスタンドは各種提案されているが、載置することでスタンドに設けられた端子と携帯端末等の電源端子とが電気的に接続されるようになっている。また、この据え付け型のスタンドは、電源ケーブルと接続するための端子も有しており、ユーザが当該スタンドに携帯端末を載置するだけで、充電を行えるようになっている。さらに、この据え付け型のスタンドは机上等で利用したときに、携帯端末等の表示面がユーザの見やすい角度となるように、携帯端末の本体を傾斜するように支持する。【０００４】  しかし、この据え付け型のスタンドは、各種携帯端末の機種によって異なる位置に設けられる電源端子の位置に対して、当該スタンドにおける端子を設ける必要があることから携帯端末の機種ごとに設計、製造する必要がある。また、この据え付け型のスタンドは、自宅、職場等に据え付けて使用することを想定したものであり、持ち運ぶことを想定して作られたものではないため、携帯性に欠ける設定となっていた。【０００５】  また、近年の携帯端末には、テレビ放送の受信、メモリに記憶されたデータを再生する機能を備えたものが増えており、外出先や屋外等においてこれらの機能を利用する機会が増えている。【０００６】  しかし、外出先や屋外等から、携帯端末等でテレビ放送を受信する際や、メモリに記憶されたデータを再生する場合など、携帯端末の表示面をユーザにとって見やすい角度にするには、常に自分の手を使用するか、載置するための上述のようなスタンドを持ち運ぶ必要があり、不便であった。
【先行技術文献】
【特許文献】
【０００７】
【特許文献１】登録実用新案公報第３１５４６８３号公報
【考案の概要】
【考案が解決しようとする課題】
【０００８】  本考案は持ち運びが容易で、携帯性に優れ、携帯電話機、複数種の携帯端末を立て掛けて載置することができる携帯端末用スタンドを提供することを課題とする。
【課題を解決するための手段】
【０００９】  上述した課題を達成するために、本考案に係わる携帯端末用スタンドは、携帯端末を立て掛けて載置する携帯端末用スタンドであって、球状の背面支持部及びこれに対向する位置に設けられた開閉式の２点の傾斜部を有することで、携帯端末が表示面を所定の角度に載置可能となることを特徴とする。
【考案の効果】
【００１０】  本考案によれば、携帯電話機、携帯端末等を立て掛けて載置することができる携帯端末用スタンドを提供することができ、携帯端末を球状の背面支持部と傾斜部に載置することで、携帯端末が机上等で滑りにくくすることができるうえ、携帯端末の傷を防止することができるなど、産業上有用な著しい効果を奏する。
【図面の簡単な説明】
【００１１】
【図１】本考案の携帯端末用スタンドの構造を例示する斜視図である。
【図２】本考案の携帯端末用スタンドの構造を例示する六面図である。
【図３】本考案の形態端末用スタンドの使用状態を例示する右側面図である。
【図４】本考案の形態端末用スタンドの使用状態を例示する正面図である。
【考案を実施するための形態】
【００１２】  本考案を実施するための形態について図１〜図４を用いて詳細に説明する。
【００１３】  図３において、１は携帯端末、２はスタンド、３は傾斜部、４は球状の背面支持部、５は結束具を示す。
【００１４】  図１は、本考案の携帯端末用スタンドの構造を例示する斜視図である。図１に示すように、本考案の携帯端末用スタンドは、携帯端末を立て掛けて載置する携帯端末用スタンドであって、該携帯端末を球状の背面支持部と開閉式の傾斜部により一定の位置に載置可能となることを特徴とする。
【００１５】  図２は、本考案の携帯端末用スタンドの構造を例示する六面図であり、図２（ａ）は上面図、図２（ｂ）、（ｂ’）は正面図及び裏面図、図２（ｃ）は底面図、図２（ｄ）、（ｄ’）は側面図である。
【００１６】  図３、図４は、本考案の携帯端末用スタンドの使用状態を例示する図であり、図３は右側面図、図４は正面図であって、該携帯端末を球状の背面支持部と開閉式の傾斜部により一定の位置に載置可能となることを特徴とする。
【００１７】  図１〜図４の本考案の携帯端末用スタンドには、携帯端末等と結束する結束具を取り付けるための取り付け部が設けられている。結束具は紐状からなり、取り外しが可能で紐状部材が所定の長さを有し、携帯端末、携帯端末カバー等の所定位置に結束されることを特徴とする。
【実施例】
【００１８】  図１〜図４に示す本考案の携帯端末用スタンドを携帯電話、携帯端末に適用したところ、それぞれの端末の表示面の傾斜角に応じて立て掛けて載置することができ、結束具による携帯端末等の取り出しも容易に行え、本考案の効果を確認することができた。
【符号の説明】
【００１９】１  携帯端末
２  スタンド
３  傾斜部
４  背面支持部
５  結束具
【図１】
0003161576.tif 000003
【図２】
0003161576.tif 000004
【図３】
0003161576.tif 000005
【図４】
0003161576.tif 000006